(57)【要約】【課題】２つの異なるアスペクト比の映像信号が入力された場合であっても、黒帯表示を行うことなく歪みが小さい表示を行うことができる表示装置を提供する。【解決手段】入力されたアスペクト比が４：３、またはアスペクト比が１６：９の画像サイズの映像信号Ｓ１を、４：３と１６：９の略中間値のアスペクト比、例えば略１４：９の画像サイズの映像信号に変換する変換部２と、略１４：９のアスペクト比の画面を備え、当該画面に変換部２が変換した映像信号Ｓ２に応じた表示を行う映像表示部３とを設ける。【選択図】図１
2006060562.tif 000002
【特許請求の範囲】
【請求項１】
入力された第１のアスペクト比、または前記第１のアスペクト比よりも小さい第２のアスペクト比の画像サイズの第１の映像信号を、前記第１および第２のアスペクト比の間の第３のアスペクト比の画像サイズの第２の映像信号に変換する変換手段と、
前記第３のアスペクト比の画面を備え、当該画面に前記変換手段が変換した第２の映像信号に応じた表示を行う表示手段と
を有する表示装置。
【請求項２】
前記変換手段は、前記第１の映像信号のアスペクト比を示すアスペクト比情報に基づいて、前記第１の映像信号にアスペクト比変換処理を施して前記第２の映像信号を生成する
請求項１に記載の表示装置。
【請求項３】
前記変換手段は、前記第１のアスペクト比の画像サイズの第１の映像信号が入力された場合に、当該第１の映像信号に、画像の水平方向に沿って拡大処理を施し、かつ画像の左端部または右端部を削除して前記第２の映像信号を生成し、前記第２のアスペクト比の画像サイズの第１の映像信号が入力された場合に、前記第１の映像信号に、画像の垂直方向に拡大処理を施し、かつ画像の上端部または下端部を削除して前記第２の映像信号を生成する
請求項１に記載の表示装置。
【請求項４】
前記変換手段は、前記第１のアスペクト比の画像サイズの第１の映像信号が入力された場合に、前記第１の映像信号の画像の左端部または右端部を水平方向に沿って縮小処理を施して前記第２の映像信号を生成し、前記第２のアスペクト比の画像サイズの第１の映像信号が入力された場合に、前記第１の映像信号の画像の左端部または右端部を水平方向に沿って拡大処理を施して、前記第２の映像信号を生成する
請求項１に記載の表示装置。
【請求項５】
前記変換手段は、規定方向に沿って画像圧縮処理が施された第１の映像信号が入力された場合に、前記画像圧縮処理に対応する逆処理を施した後、前記変換処理を行い前記第２の映像信号を生成する
請求項１に記載の表示装置。
【発明の詳細な説明】
【技術分野】
【０００１】
本発明は、例えば、アスペクト比の異なる映像信号に応じた表示を行う表示装置に関するものである。
【背景技術】
【０００２】
規定されたアスペクト比が４：３の映像信号を、アスペクト比が４：３の画面に表示する表示装置が知られている。また、近年ではワイドアスペクト比、例えば規定されたアスペクト比が１６：９の映像信号を、アスペクト比が１６：９の画面に表示する表示装置が知られている。
【０００３】
例えば、テレビジョン放送受像装置、ディスプレイ、ビデオカメラ、デジタルカメラ等の表示パネルやファインダ等の表示装置として、画面のアスペクト比と異なるアスペクト比の映像信号に応じた表示を行う表示装置も知られている。
【０００４】
具体的には、アスペクト比が４：３の画面を備える表示装置は、アスペクト比が１６：９の映像信号（ソース）に応じた表示を行う場合に、例えばアスペクト変換回路により、上端部や下端部に黒帯（レターＢＯＸ）表示を行い、または縦長状態の歪んだ画像表示を行う。
【０００５】
一方、アスペクト比が１６：９の画面を備える表示装置は、アスペクト比が４：３の映像信号（ソース）に応じた表示を行う場合に、例えばアスペクト変換回路により、左端部や右端部に黒帯表示を行い、または横長状態の歪んだ画像表示を行う。
上述したように一般的な表示装置では、画面のアスペクト比と異なるアスペクト比の映像信号に応じた表示を行う際に、画面の端部に黒帯表示を行ったり、歪の大きい画像を表示する。
【０００６】
ところで、アスペクト比が２０：１３のパネルを備え、アスペクト比が１６：９の映像信号を上下端部の黒帯画像とともに表示し、アスペクト比が４：３の映像信号を左右端部の黒帯画像とともに表示して、黒帯画像の面積を最小限に表示する陰極線管が知られている（例えば、特許文献１参照）。
【特許文献１】特開平６−８２７０５号公報
【発明の開示】
【発明が解決しようとする課題】
【０００７】
上述したように一般的な表示装置や陰極線管では、規定された２つのアスペクト比の映像信号を表示する際に、黒帯表示や、歪みの大きい画像を表示してしまう。このため、黒帯表示を行うことなく歪みが小さい表示を行う表示装置が望まれている。
【０００８】
本発明は、かかる事情に鑑みてなされたものであり、その目的は、２つの異なるアスペクト比の映像信号が入力された場合であっても、黒帯表示を行うことなく歪みが小さい表示を行うことができる表示装置を提供することにある。
【課題を解決するための手段】
【０００９】
前記目的を達成するために、本発明に係る表示装置は、入力された第１のアスペクト比、または前記第１のアスペクト比よりも小さい第２のアスペクト比の画像サイズの第１の映像信号を、前記第１および第２のアスペクト比の間の第３のアスペクト比の画像サイズの第２の映像信号に変換する変換手段と、前記第３のアスペクト比の画面を備え、当該画面に前記変換手段が変換した第２の映像信号に応じた表示を行う表示手段とを有する。
【００１０】
本発明に係る表示装置によれば、変換手段は、入力された第１のアスペクト比、または第１のアスペクト比よりも小さい第２のアスペクト比の画像サイズの第１の映像信号を、前記第１および第２のアスペクト比の間の第３のアスペクト比の画像サイズの第２の映像信号に変換する。
表示手段は、画面に前記変換手段が変換した第２の映像信号に応じた表示を行う。
【発明の効果】
【００１１】
本発明によれば、２つの異なるアスペクト比の映像信号が入力された場合であっても、黒帯表示を行うことなく歪みが小さい表示を行うことができる表示装置を提供することができる。
【発明を実施するための最良の形態】
【００１２】
本発明の一実施形態に係る表示装置は、例えば予め規定されたアスペクト比が４：３の映像信号や、アスペクト比が１６：９の映像信号を画面表示を行う。また、表示装置は、アスペクト比が４：３と１６：９の間のアスペクト比の表示画面を備え、その表示画面に、入力された映像信号に応じた表示を行う。
【００１３】
以下、図面を参照しながら本発明の一実施形態を詳細に説明する。
【００１４】
〔第１実施形態〕
図１は、本発明の第１実施形態に係る表示装置の機能ブロック図である
本実施形態に係る表示装置１０は、例えば図１に示すように、信号入力部１、変換部２、および映像表示部３を有する。
変換部２は本発明に係る変換手段の一例に相当し、映像表示部３は本発明に係る表示部の一例に相当する。
【００１５】
表示装置１０は、例えば、テレビジョン放送受像装置、ディスプレイ、ビデオカメラ、デジタルカメラ等の表示パネルやファインダ等の表示装置である。
【００１６】
信号入力部１は、例えば、映像信号（ソース）Ｓ１を変換部２に出力する。
具体的には、信号入力部１は、予め規定されたアスペクト比が４：３の画像サイズの映像信号や、アスペクト比が１６：９の映像信号を、信号Ｓ１として変換部２に出力する。
信号入力部１は、例えば撮像部からの映像信号や、外部装置からの映像信号等を信号Ｓ１として変換部２に出力する。
【００１７】
変換部２は、例えば信号入力部１から出力された信号Ｓ１に基づいて、入力された第１のアスペクト比、または第１のアスペクト比よりも小さい第２のアスペクト比の画像サイズの映像信号を、第１および第２のアスペクト比の間の第３のアスペクト比の画像サイズの第２の映像信号に変換して、信号Ｓ２として映像表示部３に出力する。
【００１８】
映像表示部３は、例えば信号入力部１から出力される第１および第２のアスペクト比の間のアスペクト比の画面サイズの表示画面を備える。また、映像表示部３は、その表示画面に、変換部２が変換して出力した映像信号Ｓ２に応じた表示を行う。
【００１９】
例えば、予め規定されたアスペクト比４：３と、１６：９のアスペクト比の間の画面サイズの表示画面を備える。
映像表示部３の表示画面のアスペクト比は、例えば４：３と１６：９の略中間値、具体的には略１４：９のアスペクト比であることが好ましい。こうすることにより、予め規定されたアスペクト比が４：３と１６：９の映像信号を、歪みが小さい画像をとして、黒帯画像を表示することなく表示することができる。
【００２０】
映像表示部３は、例えば、ブラウン管、液晶パネル、プラズマ表示装置等の表示装置である。
【００２１】
図２は、図１に示した表示装置の動作を説明するための図である。図２を参照しながら、本実施形態に係る表示装置の動作を、変換部２の動作を中心に説明する。
本実施形態では、映像表示部３はアスペクト比が略１４：９の表示画面３１を備えるとする。
【００２２】
変換部２は、例えば図２に示すように、信号入力部１からアスペクト比が１６：９の画像サイズの映像信号ＰＷ（Ｓ１）が入力された場合には、映像表示部３の表示画面のサイズに応じてアスペクト比が１４：９の画像サイズの映像信号に変換し、変換処理の結果を示す信号Ｓ２を映像表示部３に出力する。
映像表示部３は、変換部２から出力された映像信号Ｓ２に基づいて表示画面３１に、例えば図２に示すような画像ＣＰＷを表示する。
図２に示すように、この画像ＣＰＷは、縦長に歪んだ画像であるが、アスペクト比が１６：９の映像信号を４：３のアスペクト比の画面に表示させた場合と比べて、アスペクト比が１４：９の画面３１に表示させているので、歪みの度合いが小さい。
【００２３】
一方、変換部２は、例えば図２に示すように、信号入力部１からアスペクト比が１６：９の映像信号に、規定方向に沿って画像圧縮処理が施された、具体的には画像の水平方向に沿っていわゆるスクィーズ処理が施された、画像サイズが４：３の映像信号ＳＱＰＷ（Ｓ１）が入力された場合に、その画像圧縮処理（スクィーズ処理）に対応する逆処理（逆スクィーズ処理）を施した後、映像表示部３の表示画面のサイズに応じた変換処理を行い、処理結果の映像信号Ｓ２を映像表示部３に出力する。
【００２４】
映像表示部３は、上述した場合と同様に、変換部２から出力された映像信号Ｓ２に基づいて表示画面３１に、例えば図２に示すような画像ＣＰＷを表示する。図２に示すように、この画像ＣＰＷは、歪んだ画像であるが、スクィーズ処理が施された映像信号ＳＱＰＷＳの画像と比べて歪みの度合いが小さい。
【００２５】
さらに、例えば図２に示すように、信号入力部１からアスペクト比が４：３の映像信号ＰＳが入力された場合に、映像表示部３の表示画面のサイズに応じてアスペクト比が１４：９の画像サイズの映像信号に変換し、処理結果の映像信号Ｓ２を生成して、映像表示部３に出力する。
【００２６】
映像表示部３は、変換部２から出力された映像信号Ｓ２に基づいて表示画面３１に、例えば図２に示すような画像ＣＰＳを表示する。
図２に示すように、この画像ＣＰＳは、横長に歪んだ画像であるが、アスペクト比が４：３の映像信号を１６：９の画面に表示させた場合と比べて、アスペクト比が１４：９の画面３１に表示させているので、歪みの度合いが小さい。
【００２７】
以上、説明したように、入力されたアスペクト比が４：３、またはアスペクト比が１６：９の画像サイズの映像信号Ｓ１を、４：３と１６：９の略中間値のアスペクト比、例えば略１４：９の画像サイズの映像信号に変換する変換部２と、略１４：９のアスペクト比の画面を備え、当該画面に変換部２が変換した映像信号Ｓ２に応じた表示を行う映像表示部３とを設けたので、２つの異なるアスペクト比の映像信号が入力された場合であっても、黒帯表示を行うことなく歪みが小さい表示を行うことができる。
【００２８】
〔第２実施形態〕
図３は、本発明の第２実施形態に係る表示装置の機能ブロック図である。
本実施形態に係る表示装置１０ａは、例えば図３に示すように、信号入力部１ａ、変換部２ａ、および映像表示部３を有する。
【００２９】
第１および第２実施形態との相違点を中心に説明する。第１および第２実施形態と同一の構成要素および動作については同一符号を付して説明を省略する。
【００３０】
信号入力部１ａは、映像信号Ｓ１と共に、その映像信号Ｓ１のアスペクト比を示すアスペクト比情報ＳＡを出力する。
図４は、図３に示した表示装置の信号入力部１ａの一具体例を示す図である。
具体的には、信号入力部１ａは、例えば図４に示すように、カメラ画像処理部１１、外部入力画像処理部１２、メディア再生画像処理部１３、出力切替制御部１４、セレクタＳＬ１，ＳＬ２を有する。
【００３１】
カメラ画像処理部１１は、例えば、光学レンズ、撮像素子、および画像処理回路等により構成される。
カメラ画像処理部１１は、例えば光学レンズを介して入射された光を、撮像素子により電気信号に変換し、電気信号に画像処理を施し映像信号Ｓ１１として出力する。また、カメラ画像処理部１１は、その映像信号Ｓ１１のアスペクト比を示す信号ＳＡ１１を出力する。アスペクト比は、例えば４：３や切り出しサイズにより１６：９の場合がある。
【００３２】
外部入力画像処理部１２は、例えば外部装置から映像信号を入力するインタフェース、詳細には予め規定されたＩＥＥＥ（Institute of Electrical and Electronics Engineers）１３９４やＵＳＢ（Universal Serial Bus）等のインタフェースを有し、外部装置から入力された映像信号（圧縮データ）に所定変換処理を施して信号Ｓ１２として出力する。また、外部入力画像処理部１２は、その映像信号Ｓ１２のアスペクト比を示す信号ＳＡ１２を出力する。
また、外部入力画像処理部１２は、例えば無線通信回路を備えて、受信した無線信号に含まれる映像信号を信号Ｓ１２として出力してもよい。例えばアスペクト比は４：３と１６：９である。
【００３３】
メディア再生画像処理部１３は、例えば記録媒体から読み出した再生信号やデータを映像信号に変換して、信号Ｓ１３として出力する。また、メディア再生画像処理部１３は、その映像信号Ｓ１３のアスペクト比を示す信号ＳＡ１３を出力する。例えば、アスペクト比は、４：３や１６：９である。この記録媒体は、例えば磁気テープ、ディスク、半導体メモリ等の記録媒体である。
【００３４】
セレクタＳＬ１は端子ＳＬ１ａ〜端子ＳＬ１ｄを有し、セレクタＳＬ２は端子ＳＬ２ａ〜端子ＳＬ２ｄを有する。
【００３５】
端子ＳＬ１ａは、カメラ画像処理部１１の映像信号Ｓ１１の出力に接続され、端子ＳＬ１ｂは、外部入力画像処理部１２の映像信号Ｓ１２の出力に接続され、端子ＳＬ１ｃは、メディア再生画像処理部１３の映像信号Ｓ１３の出力に接続され、端子ＳＬ１ｄは、変換部２ａに接続される。
【００３６】
端子ＳＬ２ａは、カメラ画像処理部１１のアスペクト比情報ＳＡ１１の出力に接続され、端子ＳＬ２ｂは、外部入力画像処理部１２のアスペクト比情報ＳＡ１２の出力に接続され、端子ＳＬ２ｃは、メディア再生画像処理部１３のアスペクト比情報ＳＡ１３の出力に接続され、端子ＳＬ１ｄは、変換部２ａに接続される。
【００３７】
セレクタＳＬ１は、例えば出力切替制御部１４の制御により、カメラ画像処理部１１、外部入力画像処理部１２、およびメディア再生画像処理部１３から出力される映像信号のうち、いずれかの映像信号を選択して、選択した映像信号を信号Ｓ１として端子ＳＬ１ｄから出力する。
セレクタＳＬ２は、例えば出力切替制御部１４の制御により、カメラ画像処理部１１、外部入力画像処理部１２、およびメディア再生画像処理部１３から出力されるアスペクト比を示すアスペクト比情報のうち、いずれかのアスペクト比情報を選択して、選択結果のアスペクト比情報ＳＡを端子ＳＬ２ｄから出力する。
【００３８】
出力切替制御部１４は、例えば入力される映像信号に基づいてセレクタＳＬ１，ＳＬ２の切り替え制御を行う。
具体的には、出力切替制御部１４は、例えばカメラ画像処理部１１からの映像信号Ｓ１１およびアスペクト比情報ＳＡ１１を選択出力させる場合には、制御信号ＣＴＬ１４を出力して、セレクタＳＬ１の端子ＳＬ１ａと端子ＳＬ１ｄを導通状態に設定し、セレクタＳＬ２の端子ＳＬ２ａと端子ＳＬ２ｄを導通状態に設定する。
【００３９】
また、出力切替制御部１４は、例えば外部入力画像処理部１２からの映像信号Ｓ１２およびアスペクト比情報ＳＡ１２を選択出力させる場合には、制御信号ＣＴＬ１４を出力して、セレクタＳＬ１の端子ＳＬ１ｂと端子ＳＬ１ｄを導通状態に設定し、セレクタＳＬ２の端子ＳＬ２ｂと端子ＳＬ２ｄを導通状態に設定する。
【００４０】
また、出力切替制御部１４は、例えばメディア再生画像処理部１３からの映像信号Ｓ１３およびアスペクト比情報ＳＡ１３を選択出力させる場合には、制御信号ＣＴＬ１４を出力して、セレクタＳＬ１の端子ＳＬ１ｃと端子ＳＬ１ｄを導通状態に設定し、セレクタＳＬ２の端子ＳＬ２ｃと端子ＳＬ２ｄを導通状態に設定する。
【００４１】
本実施形態では、カメラ画像処理部１１、外部入力画像処理部１２、およびメディア再生画像処理部を設けたが、この形態に限られるものではない。例えば、表示装置１０にカメラ画像処理部１１、外部入力画像処理部１２、またはメディア再生画像処理部を設けてもよいし、これら構成要素を設けなくてもよい。映像信号およびアスペクト比情報を変換部２ａに出力できればよい。
【００４２】
変換部２ａは、信号入力部１ａから出力された映像信号Ｓ１のアスペクト比を示すアスペクト比情報ＳＡに基づいて、映像信号Ｓ１にアスペクト比変換処理を施して映像信号Ｓ２を生成して映像表示部３に出力する。
【００４３】
具体的には、変換部２ａは、例えば図３に示すように、アスペクト比変換部２１、および制御部２２を有する。
アスペクト比変換部２１は、制御部２２の制御により、信号入力部１ａから出力された映像信号Ｓ１に、アスペクト比変換処理を施して、映像信号Ｓ２として出力する。
【００４４】
具体的には、アスペクト比変換部２１は、アスペクト比変換処理として、例えば制御部２２からの制御信号ＣＴＬ２２に応じて、第１のアスペクト比（１６：９）または第２のアスペクト比（４：３）の映像信号Ｓ１を、映像表示部３の表示画面のアスペクト比（例えば略１４：９）に応じたアスペクト比の画像サイズの映像信号に変換する処理を行う。
【００４５】
制御部２２は、信号入力部１ａから出力されたアスペクト比情報ＳＡを受けて、アスペクト比変換部２１に、アスペクト比情報ＳＡに応じた画像サイズの映像信号に変換させる指示を示す制御信号ＣＴＬ２２を、アスペクト比変換部２１に出力する。
【００４６】
以上の構成の表示装置１０ａの動作を簡単に説明する。
例えば、信号入力部１ａは、映像信号Ｓ１と、アスペクト比情報ＳＡを変換部２ａに出力する。
【００４７】
変換部２ａの制御部２２は、アスペクト比情報ＳＡに応じた画像サイズの映像信号に変換させる指示を示す制御信号ＣＴＬ２２をアスペクト比変換部２１に出力する。
アスペクト比変換部２１は、制御部２２からの制御信号ＣＴＬ２２を受けて、信号入力部１ａから出力された映像信号Ｓ１に、アスペクト比変換処理を施して、映像信号Ｓ２として出力する。
映像表示部３は、その映像信号Ｓ３を受けて表示画面３１に表示を行う。
【００４８】
以上、説明したように、本実施形態に係る変換部２ａは、信号入力部１ａからの映像信号Ｓ１のアスペクト比を示すアスペクト比情報ＳＡに基づいて、映像信号Ｓ１にアスペクト比変換処理を施して映像信号Ｓ２を生成するので、２つの異なるアスペクト比の映像信号が入力された場合であっても、入力されたアスペクト比情報ＳＡを基に、それぞれのアスペクト比に応じたアスペクト比変換処理を行うことができる。
【００４９】
〔第３実施形態〕
図５は、本発明の第３実施形態に係る表示装置の機能ブロック図である。
本実施形態に係る表示装置１０ｂは、信号入力部１ａ、変換部２ｂ、および映像表示部３を有する。
第２および第３実施形態の相違点を中心に説明する。第２および第３実施形態と同一の構成要素および動作については同一符号を付して説明を省略する。
【００５０】
変換部２ｂは、第１のアスペクト比（１６：９）の画像サイズの映像信号Ｓ１が入力された場合に、映像信号Ｓ１に、画像の水平方向に沿って拡大処理を施し、かつ画像の左端部または右端部を削除して映像信号Ｓ２を生成し、第２のアスペクト比（４：３）の画像サイズの映像信号Ｓ１が入力された場合に、映像信号Ｓ１に、画像の垂直方向に拡大処理を施し、かつ画像の上端部または下端部を削除して映像信号Ｓ２を生成する。
【００５１】
具体的には、変換部２ｂは、アスペクト比変換部２１ｂ、および制御部２２ｂを有する。
アスペクト比変換部２１ｂは、第１変換部２１１、第２変換部２１２、セレクタＳＬ３を有する。
【００５２】
第１変換部２１１は、第１のアスペクト比（１６：９）の画像サイズの映像信号Ｓ１が入力された場合に、映像信号Ｓ１に、画像の水平方向に沿って拡大処理を施し、かつ画像の左端部または右端部を削除して、映像信号Ｓ２１１を生成し、映像信号Ｓ２１１をセレクタＳＬ３に出力する。
【００５３】
第２変換部２１２は、第２のアスペクト比（４：３）の画像サイズの映像信号Ｓ１が入力された場合に、映像信号Ｓ１に、画像の垂直方向に拡大処理を施し、かつ画像の上端部または下端部を削除して、映像信号Ｓ２１２を生成し、映像信号Ｓ２１２をセレクタＳＬ３に出力する。
【００５４】
セレクタＳＬ３は、制御部２２ｂの制御により、第１変換部２１１または第２変換部２１２から入力された映像信号を選択して、信号Ｓ２として映像表示部３に出力する。
【００５５】
具体的には、セレクタＳＬ３は、端子ＳＬ３ａ〜端子ＳＬ３ｃを有する。
端子ＳＬ３ａは第１変換部２１１に接続され、端子ＳＬ３ｂは第２変換部２１２に接続され、端子ＳＬ３ｃは映像表示部３に接続されている。
【００５６】
制御部２２ｂは、信号入力部１ａから出力されたアスペクト比情報ＳＡを受けて、アスペクト比変換部２１ｂに、アスペクト比情報ＳＡに応じた画像サイズの映像信号に変換させる指示を示す制御信号ＣＴＬ２２を、アスペクト比変換部２１ｂに出力する。
【００５７】
具体的には、信号入力部１ａから出力されたアスペクト比情報ＳＡを受けて、アスペクト比情報ＳＡを基に、セレクタＳＬ３に第１変換部２１１または第２変換部２１２のいずれかの映像信号を選択出力させる指示を示す制御信号ＣＴＬ２２を、セレクタＳＬ３に出力する。
【００５８】
図６は、図５に示した表示装置の動作を説明するための図である。図６を参照しながら、表示装置１０ｂの動作を、変換部２ｂの動作を中心に説明する。
【００５９】
変換部２ｂは、例えば図６に示すように、信号入力部１ａからアスペクト比が１６：９の画像サイズの映像信号ＰＷ（Ｓ１）、および、その映像信号のアスペクト比情報ＳＡが入力されると、制御部２２ｂは制御信号ＣＴＬ２２を出力して、セレクタＳＬ３に端子ＳＬ３ａと端子ＳＬ３ｃを導通状態に設定させる。
【００６０】
第１変換部２１１は、アスペクト比が１６：９の画像サイズの映像信号ＰＷ（Ｓ１）に、画像の水平方向に沿って拡大処理を施し、かつ画像の左端部または右端部を削除して、映像信号Ｓ２１１を生成し、映像信号Ｓ２１１をセレクタＳＬ３に出力する。セレクタＳＬ３はその映像信号を受けて、映像信号Ｓ２として映像表示部３に出力する。
映像表示部３は、映像信号Ｓ２に基づいて表示画面３１に、例えば図６に示すような画像ＣＰＷｂを表示する。
【００６１】
図６に示すように、この画像ＣＰＷｂは、左端部および右端部が削除されているが、例えばアスペクト比が１６：９の映像信号を４：３のアスペクト比の画面を備える表示装置に表示させた場合に比べて、削除される領域が小さい。
また、黒帯画像を表示することなく、映像表示部３の画面３１に表示される画像のアスペクト比も適正である。
【００６２】
一方、変換部２ｂは、例えば図６に示すように、信号入力部１ａからアスペクト比が１６：９の映像信号に、規定方向に沿って画像圧縮処理が施された、具体的には画像の水平方向に沿っていわゆるスクィーズ処理が施された、画像サイズが４：３の映像信号ＳＱＰＷ（Ｓ１）が入力された場合に、その画像圧縮処理（スクィーズ処理）に対応する逆処理（逆スクィーズ処理）を施した後、上述したように第１変換部２１１によりアスペクト変換処理を施して、処理結果の映像信号Ｓ２を映像表示部３に出力する。
映像表示部３は、映像信号Ｓ２に基づいて表示画面３１に、例えば図６に示すような画像ＣＰＷｂを表示する。
【００６３】
また、変換部２ｂは、例えば図６に示すように、信号入力部１ａからアスペクト比が４：３の画像サイズの映像信号ＰＳ（Ｓ１）、および、その映像信号のアスペクト比情報ＳＡが入力されると、制御部２２ｂは制御信号ＣＴＬ２２を出力して、セレクタＳＬ３に端子ＳＬ３ｂと端子ＳＬ３ｃを導通状態に設定させる。
【００６４】
第２変換部２１２は、第２のアスペクト比（４：３）の画像サイズの映像信号ＰＳ（Ｓ１）が入力された場合に、映像信号Ｓ１に、画像の垂直方向に拡大処理を施し、かつ画像の上端部または下端部を削除して、映像信号Ｓ２１２を生成し、映像信号Ｓ２１２をセレクタＳＬ３に出力する。セレクタＳＬ３はその映像信号を受けて、映像信号Ｓ２として映像表示部３に出力する。
映像表示部３は、映像信号Ｓ２に基づいて表示画面３１に、例えば図６に示すような画像ＣＰＳｂを表示する。
【００６５】
図６に示すように、この画像ＣＰＳｂは、上端部および下端部が削除されているが、例えばアスペクト比が４：３の映像信号を１６：９のアスペクト比の画面を備える表示装置に表示させた場合に比べて、削除される領域が小さい。
また、黒帯画像を表示することなく、映像表示部３の画面３１に表示される画像のアスペクト比も適正である。
【００６６】
以上、説明したように、第１のアスペクト比（１６：９）の画像サイズの映像信号Ｓ１が入力された場合に、当該映像信号Ｓ１に、画像の水平方向に沿って拡大処理を施し、かつ画像の左端部または右端部を削除して映像信号Ｓ２を生成し、第２のアスペクト比（４：３）の画像サイズの映像信号Ｓ１が入力された場合に、映像信号Ｓ１に、画像の垂直方向に拡大処理を施し、かつ画像の上端部または下端部を削除して映像信号Ｓ２を生成する変換部２ｂを設けたので、黒帯画像を表示することなく、歪みのない適正なアスペクト比の画像を表示画面３１に表示することができる。
【００６７】
〔第４実施形態〕
図７は、本発明の第４実施形態に係る表示装置の機能ブロック図である。
本実施形態に係る表示装置１０ｃは、信号入力部１ａ、変換部２ｃ、および映像表示部３を有する。
第２、第３および第４実施形態の相違点を中心に説明する。第２および第３実施形態と同一の構成要素および動作については同一符号を付して説明を省略する。
【００６８】
変換部２ｃは、第１のアスペクト比（１６：９）の画像サイズの映像信号Ｓ１が入力された場合に、映像信号Ｓ１の画像の左端部または右端部を水平方向に沿って縮小処理を施して映像信号Ｓ２を生成し、第２のアスペクト比（４：３）の画像サイズの映像信号Ｓ１が入力された場合に、映像信号Ｓ１の画像の左端部または右端部を水平方向に沿って拡大処理を施して、映像信号Ｓ２を生成する。
【００６９】
具体的には、変換部２ｃは、アスペクト比変換部２１ｃ、および制御部２２ｂを有する。
アスペクト比変換部２１ｃは、第１変換部２１１ｃ、第２変換部２１２ｃ、セレクタＳＬ３を有する。
【００７０】
第１変換部２１１ｃは、第１のアスペクト比（１６：９）の画像サイズの映像信号Ｓ１が入力された場合に、映像信号Ｓ１の画像の左端部または右端部を水平方向に沿って縮小処理を施して映像信号Ｓ２１１を生成して、セレクタＳＬ３に出力する。
【００７１】
第２変換部２１２ｃは、第２のアスペクト比（４：３）の画像サイズの映像信号Ｓ１が入力された場合に、映像信号Ｓ１の画像の左端部または右端部を水平方向に沿って拡大処理を施して、映像信号Ｓ２１２を生成して、セレクタＳＬ３に出力する。
【００７２】
セレクタＳＬ３は、制御部２２ｂの制御により、第１変換部２１１ｃまたは第２変換部２１２ｃから入力された映像信号を選択して、信号Ｓ２として映像表示部３に出力する。
【００７３】
図８は、図７に示した表示装置の動作を説明するための図である。図８を参照しながら、表示装置１０ｃの動作を、変換部２ｃの動作を中心に説明する。なお第２および第３実施形態との相違点を中心に説明する。
【００７４】
変換部２ｃは、例えば図８に示すように、信号入力部１ａからアスペクト比が１６：９の画像サイズの映像信号ＰＷ（Ｓ１）、および、その映像信号のアスペクト比情報ＳＡが入力されると、制御部２２ｂは制御信号ＣＴＬ２２を出力して、セレクタＳＬ３に端子ＳＬ３ａと端子ＳＬ３ｃを導通状態に設定させる。
【００７５】
第１変換部２１１ｃは、第１のアスペクト比（１６：９）の画像サイズの映像信号Ｓ１が入力された場合に、映像信号Ｓ１の画像の左端部または右端部を水平方向に沿って縮小処理を施して映像信号Ｓ２１１を生成して、セレクタＳＬ３に出力する。
セレクタＳＬ３は、制御部２２ｂの制御により、第１変換部２１１ｃまたは第２変換部２１２ｃから入力された映像信号を選択して、信号Ｓ２として映像表示部３に出力する。
映像表示部３は、映像信号Ｓ２に基づいて表示画面３１に、例えば図８に示すような画像ＣＰＷｃを表示する。
【００７６】
図８に示すように、この表示画面３１に表示される画像ＣＰＷｃは、左端部ＴＬおよび右端部ＴＲの画像が縦長状態に歪むが、例えばアスペクト比が１６：９の映像信号を４：３のアスペクト比の画面を備える表示装置に表示させた場合に比べて、歪む度合いが小さい。
また、黒帯画像を表示することなく、映像表示部３の画面３１に表示される画像の中心部のアスペクト比も適正である。
【００７７】
一方、変換部２ｃは、例えば図８に示すように、信号入力部１ａからアスペクト比が１６：９の映像信号に、規定方向に沿って画像圧縮処理が施された、具体的には画像の水平方向に沿っていわゆるスクィーズ処理が施された、画像サイズが４：３の映像信号ＳＱＰＷ（Ｓ１）が入力された場合に、その画像圧縮処理（スクィーズ処理）に対応する逆処理（逆スクィーズ処理）を施した後、上述したように第１変換部２１１によりアスペクト変換処理を施して、処理結果の映像信号Ｓ２を映像表示部３に出力する。
映像表示部３は、映像信号Ｓ２に基づいて表示画面３１に、例えば図８に示すような画像ＣＰＷｃを表示する。
【００７８】
また、変換部２ｃは、例えば図８に示すように、信号入力部１ａからアスペクト比が４：３の画像サイズの映像信号ＰＳ（Ｓ１）、および、その映像信号のアスペクト比情報ＳＡが入力されると、制御部２２ｂは制御信号ＣＴＬ２２を出力して、セレクタＳＬ３に端子ＳＬ３ｂと端子ＳＬ３ｃを導通状態に設定させる。
【００７９】
第２変換部２１２ｃは、第２のアスペクト比（４：３）の画像サイズの映像信号ＰＳ（Ｓ１）が入力された場合に、映像信号Ｓ１の画像の左端部または右端部を水平方向に沿って拡大処理を施して、映像信号Ｓ２１２を生成して、セレクタＳＬ３に出力する。セレクタＳＬ３はその映像信号を受けて、映像信号Ｓ２として映像表示部３に出力する。
映像表示部３は、映像信号Ｓ２に基づいて表示画面３１に、例えば図８に示すような画像ＣＰＳｃを表示する。
【００８０】
図８に示すように、この画像ＣＰＳｃは、左端部ＴＬおよび右端部ＴＲの画像が横長状態に歪むが、例えばアスペクト比が４：３の映像信号を１６：９のアスペクト比の画面を備える表示装置に表示させた場合に比べて、歪む度合いが小さい。
また、黒帯画像を表示することなく、映像表示部３の画面３１に表示される画像の中心部のアスペクト比も適正である。
【００８１】
以上、説明したように、第１のアスペクト比（１６：９）の画像サイズの映像信号Ｓ１が入力された場合に、映像信号Ｓ１の画像の左端部または右端部を水平方向に沿って縮小処理を施して映像信号Ｓ２を生成し、第２のアスペクト比（４：３）の画像サイズの映像信号Ｓ１が入力された場合に、映像信号Ｓ１の画像の左端部または右端部を水平方向に沿って拡大処理を施して、映像信号Ｓ２を生成する変換部２ｃを設けたので、黒帯画像を表示することなく、表示画面３１の画像中心部が歪みのない適正なアスペクト比の画像を表示画面３１に表示することができる。
【００８２】
なお、本発明は本実施形態に限られるものではなく、任意好適な改変が可能である。
例えば、上述した実施形態を組み合わせて実施してもよい。
また、映像表示部３の表示画面３１のアスペクト比は、例えば１６：９と、４：３の間のアスペクト比であればよく、略１４：９に限られるものではない。
また、入力される映像信号の画像のアスペクト比は１６：９と４：３に限られるものではない。
また、上述した実施形態では、左端部，右端部共に画像処理を行い、または上端部，下端部共に画像処理を行ったが、この形態に限られるものではない。例えば変換部は、左端部または右端部のみを画像処理してもよいし、上端部または下端部のみを画像処理してもよい。
【産業上の利用可能性】
【００８３】
本発明は、例えばアスペクト比の異なる映像信号に応じた表示を行う表示装置に適用できる。
【図面の簡単な説明】
【００８４】
【図１】本発明の第１実施形態に係る表示装置の機能ブロック図である
【図２】図１に示した表示装置の動作を説明するための図である。
【図３】本発明の第２実施形態に係る表示装置の機能ブロック図である。
【図４】図３に示した表示装置の信号入力部１ａの一具体例を示す図である。
【図５】本発明の第３実施形態に係る表示装置の機能ブロック図である。
【図６】図５に示した表示装置の動作を説明するための図である。
【図７】本発明の第４実施形態に係る表示装置の機能ブロック図である。
【図８】図７に示した表示装置の動作を説明するための図である。
【符号の説明】
【００８５】
１，１ａ…信号入力部、２，２ｂ，２ｃ…変換部、３…映像表示部、１０，１０ａ〜１０ｃ…表示装置、１１…カメラ画像処理部、１２…外部入力画像処理部、１３…メディア再生画像処理部、１４…出力切替制御部、２１ｂ，２１ｃ…アスペクト比変換部、２２ｂ…制御部、２１１ｂ，２１１ｃ…第１変換部、２１２ｂ，２１２ｃ…第２変換部。
【図１】
2006060562.tif 000003
【図２】
2006060562.tif 000004
【図３】
2006060562.tif 000005
【図４】
2006060562.tif 000006
【図５】
2006060562.tif 000007
【図６】
2006060562.tif 000008
【図７】
2006060562.tif 000009
【図８】
2006060562.tif 000010